(57)【要約】【課題】  衝撃緩衝部材を大腿骨の頸部を保護するのに適した場所に容易に位置させ、ズレても容易に位置調整ができ、専用の下着を必要とせず、快適な装着状態で、転倒による大腿骨の骨折を予防できる大腿骨骨折予防具の提供を課題とする。【解決手段】  身体の腰部付近に着脱自在に装着されるベルト１０、ベルト１０に着脱自在に取り付けられるポケット部２０、ポケット部２０に出し入れ自在に装入される衝撃緩衝部材３０を有し、ベルト１０はその表面１０ａのうち少なくとも腰部の側面を含む領域面を面ファスナーＦｂとして構成し、ポケット部２０の一部にはベルト１０の面ファスナーＦｂに対して着脱自在に取り付く面ファスナーＦａを設け、ポケット部２０をベルト１０の面ファスナーＦｂに対して位置調節自在に及び着脱自在に取り付けることで、ポケット部２０に装入された衝撃緩衝部材３０が大腿骨頸部の外側を覆うように位置させる。【選択図】      図１
0003111134.tif 000002
【実用新案登録請求の範囲】
【請求項１】
身体の腰部付近に着脱自在に装着されるベルトと、該ベルトに着脱自在に取り付けられるポケット部と、該ポケット部に出し入れ自在に装入される衝撃緩衝部材とを有し、前記ベルトはその表面のうち少なくとも身体の腰部の側面を含む領域面を面ファスナーとして構成し、一方、前記ポケット部の一部には前記ベルトの面ファスナーに対して着脱自在に取り付く面ファスナーを設け、ポケット部を前記ベルトの面ファスナーに対して位置調節自在に及び着脱自在に取り付けることで、ポケット部に装入された衝撃緩衝部材が大腿骨頸部の外側を覆うように位置せしめることを特徴とする大腿骨骨折予防具。
【請求項２】
ベルトは骨盤を保護する骨盤ベルト若しくは腰部を保護する腰ベルトであることを特徴とする請求項１に記載の大腿骨骨折予防具。
【請求項３】
衝撃緩衝部材は衝撃吸収部材と衝撃分散部材の何れか一方若しくは両方を含むことを特徴とする請求項１又は２に記載の大腿骨骨折予防具。
【考案の詳細な説明】
【技術分野】
【０００１】
本考案は高齢者等が転倒した際に大腿骨を骨折するのを予防する大腿骨骨折予防具に関する。
【背景技術】
【０００２】
高齢者等の骨が弱っている者は、転倒した際に足の付け根の大腿骨を骨折し易い。高齢者等がこの大腿骨を骨折すると、治療してもなかなか直らず、寝たきりになるケースも多い。また治療費もかさむ。このため、転倒した際に骨折し易い大腿骨頸部を保護し、骨折しないように予防することが大切である。
従来における大腿骨の骨折予防手段としては、パンツ等の下着の側部にポケットを形成して、このポケットに衝撃吸収パッドを入れるようにしたものが提供されている（特許文献１、２）。
また他の予防手段として、パンツやオムツ等の下着の後身頃に一体的に腰痛帯や骨盤ベルト等のベルト或いは脇身頃を構成する布を連結し、この連結したベルトや布にポケットを形成して、そのポケット内に衝撃吸収パッドを入れるようにしたものも提供されている（特許文献３）。
【特許文献１】実用新案登録第３０８３２６８号公報
【特許文献２】特開２００４−３２１７３１号公報
【特許文献３】特開２００４−１２４３４４号公報
【考案の開示】
【考案が解決しようとする課題】
【０００３】
ところが上記文献１、２に開示されたような、パンツ等の下着に形成したポケットに衝撃吸収パッドを入れるものでは、一般に下着が身体からズレ易いので、前記ポケットの位置が大腿骨頸部等の所定の位置からズレ易い問題があった。また下着を取り替えるたびに衝撃吸収パッドを入れ替える必要があった。勿論、ポケットのついた特別な下着を購入しなければならない。また衝撃吸収パッドを入れたポケットの位置が容易にズレないようにするために下着をピッタリと締め付けるようなものにする場合には、高齢者等にとって下着を履いたり、脱いだりするのが容易ではなくなり、また用をたす際に脱ぐのが間に合わない等の問題があった。このような問題は高齢病弱者、要介護者或いは介護人にとって大きな問題であった。
一方、上記文献３に開示されたような、パンツやオムツ等の下着の一部にベルトやその他の腰部保持体の一端を結合したものを用い、この連結した腰部保持体のポケットに衝撃吸収材を装着するものでは、これらの腰部保持体である付属物が邪魔となって、パンツ等の下着を履いたり、脱いだりするのが容易でなくなる問題が大きい。また下着等を洗う場合や廃棄する際に、それら腰部保持体の取り扱いが問題となる。
【０００４】
そこで本考案は上記従来における欠点、問題点を解消し、衝撃緩衝部材を大腿骨の頸部を保護するのに適した場所に容易に位置させることができ、またズレてしまった場合にも容易に位置調整ができ、しかも下着の脱ぎ履きに悪影響を及ばすことなく、また専用の下着を必要とすることなく、容易に快適な装着状態で転倒による大腿骨の骨折を予防できる大腿骨骨折予防具の提供を課題とする。また骨折予防と共に、骨盤や腰部の保護を兼ねることができる大体骨骨折予防具の提供を課題とする。
【課題を解決するための手段】
【０００５】
上記課題を達成するため、本考案の大腿骨骨折予防具は、身体の腰部付近に着脱自在に装着されるベルトと、該ベルトに着脱自在に取り付けられるポケット部と、該ポケット部に出し入れ自在に装入される衝撃緩衝部材とを有し、前記ベルトはその表面のうち少なくとも身体の腰部の側面を含む領域面を面ファスナーとして構成し、一方、前記ポケット部の一部には前記ベルトの面ファスナーに対して着脱自在に取り付く面ファスナーを設け、ポケット部を前記ベルトの面ファスナーに対して位置調節自在に及び着脱自在に取り付けることで、ポケット部に装入された衝撃緩衝部材が大腿骨頸部の外側を覆うように位置せしめることを第１の特徴としている。
また本考案の大腿骨骨折予防具は、上記第１の特徴に加えて、ベルトは骨盤を保護する骨盤ベルト若しくは腰部を保護する腰ベルトであることを第２の特徴としている。
また本考案の大腿骨骨折予防具は、上記第１又は第２の特徴に加えて、衝撃緩衝部材は衝撃吸収部材と衝撃分散部材の何れか一方若しくは両方を含むことを第３の特徴としている。
【考案の効果】
【０００６】
請求項１に記載の大腿骨骨折予防具によれば、ベルトを腰部付近に着脱自在に装着し、一方、中に衝撃緩衝部材を装入したポケット部を用意し、このポケット部を前記装着されたベルトの表面のうち、身体の腰部の側面に対応する位置に、面ファスナーにより着脱自在に取り付ける。これによって衝撃緩衝部材が大腿骨の頸部を含む上部を外側から覆う位置関係となる。前記ポケット部のベルトへの取り付けは、ポケット部の面ファスナーを、ベルトの面ファスナー領域のちょうど大腿骨に対応する位置に対して、着脱自在に押し付けることにより完了する。またポケット部のベルトへの取り付けは、ベルトを身体に取り付けた後に大腿骨の位置を確認しながら取り付ければよいので、必ず適切な位置に取り付けることができる。
そしてベルトがズレることによって、衝撃緩衝部材の位置が身体の大腿骨の位置からズレた場合には、ポケット部を一旦ベルトから外して、大腿骨の位置を見ながら付け替えればよく、その付け替えはごく簡単に行え、且つベルトや下着等の装着状態を修正する必要はない。
またポケット部はベルトや下着とは別体であるので、下着自体は特別な下着を必要とせず、また下着自体の脱ぎ履きがし難くなるという問題も生じない。更に下着の洗濯、廃棄は、大腿骨骨折予防具とは全く関係なく、自由に行える。
よって請求項１に記載の大腿骨骨折予防具によれば、取り外しが簡単で、且つ衝撃緩衝部材を正確に所定位置に取り付け、且つ位置修正できる結果、転倒して大腿骨を打った場合においても、大腿骨への衝撃を的確に緩衝して、その骨折を予防することができる。しかも下着選択の自由を確保すると共に、下着の交換や脱ぎ履き作業の容易性を確保して、着用者の不快感を払拭させることが可能となる。
【０００７】
また請求項２に記載の大腿骨骨折予防具によれば、上記請求項１の構成による効果に加えて、ベルトを骨盤を保護する骨盤ベルト若しくは腰部を保護する腰ベルトとすることで、高齢者、要介護者、病人等の骨の弱っている人の大腿骨骨折予防をかねた骨盤や腰部の保護を図ることができ、一石二鳥の効果をもたらすことができる。
また骨折する状況にない場合には、ポケット部を取り外すだけで、通常の骨盤ベルト或いは腰ベルトとして有用に使用できる。
【０００８】
また請求項３に記載の大腿骨骨折予防具によれば、上記請求項１又は２の構成による効果に加えて、衝撃緩衝部材は衝撃吸収部材と衝撃分散部材の何れか一方又は両方を含むようにすることで、衝撃吸収部材か衝撃分散部材かその両方を用いて、着用者の状況に応じた適切な骨折予防を行うことができる。
【考案を実施するための最良の形態】
【０００９】
図１は本考案の実施形態を示す大腿骨骨折予防具の表面図、図２は大腿骨骨折予防具の裏面図、図３は大腿骨骨折予防具を身体に装着した状態を示す図である。
【００１０】
大腿骨骨折予防具は、ベルト１０と、ポケット部２０と、衝撃緩衝部材３０とからなる。
【００１１】
前記ベルト１０は、本実施形態では骨盤を保護する骨盤ベルトとしている。ベルト１０は、その中央部１１の帯幅を広くして、身体の腰部から尻部の領域に対して背後から当てがわれるようになされている。そして前記尻部から身体の側部に至る部分を中間切れ上がり部１２、１２とし、両端部の細帯部１３、１３に連続している。細帯部１３、１３は腹部に位置することになる。
図１を参照して、前記ベルト１０の表面１０ａ、即ち身体に対向しない外向きの面は、周縁の縫製部１４を除いて、全体がタッチクローズ式の面ファスナーＦのループ面Ｆｂとして起毛構成されている。
図２を参照して、前記ベルト１０の裏面１０ｂ、即ち身体に対向する内向きの面は、ベルト１０の一方の細帯部１３の端部付近の一部領域が、タッチクローズ式の面ファスナーＦのフック面Ｆａとして起毛構成されている。裏面１０ｂの残る面は、衣類等に対して滑り難い（ズレ難い）難滑生地で構成されている。
【００１２】
前記ポケット部２０は、例えば柔らかい布地で構成することができるが、後述する衝撃緩衝部材３０を装入して、前記バンド１０に着脱自在に取り付けるためのものである。本実施形態では、身体の腰部付近の左右に対応してそれぞれ配置するため、一対設けている。ポケット部２０の表側には、図１を参照して、衝突緩衝部材３０を出し入れ自在に装入するための出し入れ口２１が設けられている。
ポケット部２０の裏側には、図２を参照して、上部の一部領域が、タッチクローズ式の面ファスナーＦのフック面Ｆａとして起毛構成されている。
【００１３】
前記衝撃緩衝部材３０は、適当な厚みのあるシート状のパッドとして構成されている。衝突緩衝部材３０としては、ジェル状のものや、軟質の発泡プラスチック、軟質のゴム等の主として軟質材からなる衝撃吸収部材を用いることができる。またポリプロピレン等の主として硬質材からなる衝撃分散部材を用いることができる。衝撃吸収部材は転倒した際に大腿骨に対する衝撃をその手前の位置において吸収し、結果として骨折に至らないようにする部材である。衝撃吸収部材は、一般には柔らかい代わりに重くて、嵩張り易い。また衝撃分散部材は薄くて済むが、硬くて痛みを伴い易い。従って着用者の状況に応じて、両者を使い分けるのが好ましい。勿論、衝撃吸収部材と衝撃分散部材の両方を対にして衝撃緩衝部材３０としてもよい。勿論、衝撃緩衝部材３０としては、衝撃吸収部材や衝撃分散部材の他、それらの部材と共に他のものを組み合わせたものでもよい。
【００１４】
次に本実施形態に係る大腿骨骨折予防具の取り付けを、図３も参照して説明する。
まず下着を履いた状態において、下着の上からベルト１０を装着する。ベルト１０の装着は、ベルト１０の中央部１１を身体の尻部に当て、ベルト１０両端部の細帯部１３、１３を身体の前に回して、腹部にて相互に重ね合わせ、一方の細帯部１３の裏側の端部付近に設けたタッチクローズ式の面ファスナーＦのフック面Ｆａを、他方の細帯部１３の表側のタッチクローズ式の面ファスナーＦのループ面Ｆｂに押圧することで、装着を完成する。その際、ベルト１０の一対の中間切れ上がり部１２付近が、身体の腰部の側面付近に位置される。
次に、予め衝撃緩衝部材３０を装入したポケット部２０をベルト１０に着脱自在に取り付ける。ポケット部２０の装着は、ベルト１０が身体の腰部付近に取り付けられた状態で、身体の両側面の大腿骨Ｂの位置（頸部位置）がポケット部２０の中心付近に重なるように、目で見ながら、ポケット部２０の裏側のタッチクローズ式の面ファスナーＦのフック面Ｆａをベルト１０表面のタッチクローズ式の面ファスナーＦのループ面Ｆｂに押圧することで完了する。
大腿骨骨折予防具を装着中に衝撃緩衝部材３０が大腿骨Ｂの頸部の位置からズレた場合は、着脱自在のポケット部２０を付け直すことで、ベルト１０の位置や下着の位置を修正することなく、簡単に位置修正することができる。
【００１５】
前記ポケット部２０を取り付けるベルト１０の位置は、ベルト１０を身体の腰部付近に取り付けた際に身体の側面に対応するベルト領域である。従ってポケット部２０を取り付けるためのベルト１０の表面に構成されるタッチクローズ式の面ファスナーＦのループ面Ｆｂは、少なくともベルト１０を身体に装着した際に身体の側面を含む領域面に構成されていればよく、ベルト１０の表面１０ａの全面に設けられている必要はない。前記ポケット部２０を取り付けるのに必要なベルト１０の表側のタッチクローズ式の面ファスナーＦのループ面Ｆｂの領域は、具体的には身体の腰部の側面に位置することになる前記中間切れ上がり部１２の領域に限定することができる。
またベルト１０の両端部の一対の細帯部１３、１３を重ね合わせて連結する際に、一方の細帯部１３の裏側のタッチクローズ式の面ファスナーＦのフック面Ｆａに対応するベルト１０の表側のタッチクローズ式の面ファスナーＦのループ面Ｆｂは、少なくとも前記一方の細帯部１３に対応する他方の細帯部１３の表側の領域に構成されておればよい。
【００１６】
また本実施形態ではベルト１０は骨盤ベルトとしたが、骨盤の保護、矯正等に効果のある骨盤ベルトの他、腰痛等に効果のある腰痛ベルト、その他の腰部の保護、矯正に役立つ腰ベルトであってもよく、更にはそれ自身が身体に対する特別な効果のないベルトであっても可能である。但し骨折予防具としては、ベルト１０自体が骨の保護、矯正に効き目のある骨盤ベルトや腰痛ベルトである方が骨の総合的保護具として効果的である。
面ファスナーＦはタッチクローズ式の面ファスナーとしたが、タッチクローズ式以外の面ファスナーがあれば、それも含むものとする。
【図面の簡単な説明】
【００１７】
【図１】本考案の実施形態を示す大腿骨骨折予防具の表面図である。
【図２】本考案の実施形態を示す大腿骨骨折予防具の裏面図である。
【図３】本考案の実施形態を示す大腿骨骨折予防具を身体に装着した状態を示す図である。
【符号の説明】
【００１８】
１０    ベルト
１０ａ  ベルトの表面
１０ｂ  ベルトの裏面
１１    中央部
１２    中間切れ上がり部
１３    細帯部
１４    縫製部
２０    ポケット部
２１    出し入れ口
３０    衝撃緩衝部材
Ｆ      面ファスナー
Ｆａ    フック面
Ｆｂ    ループ面
【図１】
0003111134.tif 000003
【図２】
0003111134.tif 000004
【図３】
0003111134.tif 000005